(57)【要約】【課題】キャップを備えたものでありながら、部品点数を少なくできると共に、取付け工数も少なくでき、ひいてはコストを低減できるコンセントを提供する。【解決手段】コンセント本体３における各コンセント成形部４の外周部に取付溝６を設け、キャップ７には、連結部１２を介して環状の取付部１３を一体成形により設け、取付部１３を取付溝６に嵌合させることにより、キャップ７をコンセント本体３に取り付ける。キャップ７をコンセント本体３に取り付けるについて、ねじなどの固定具を必要とせず、その分部品点数を少なくでき、また、固定具を用いる場合に比べて取付け工数も少なくできる。【選択図】図１
2007073537.tif 000002
【特許請求の範囲】
【請求項１】
端子差込み穴を有するコンセント本体と、
このコンセント本体に設けられた取付溝と、
前記端子差込み穴を開閉するキャップと、
このキャップに一体成形により設けられ、伸縮が可能で、前記取付溝に嵌合することにより前記コンセント本体に取り付けられる環状の取付部とを備えたことを特徴とするコンセント。
【発明の詳細な説明】
【技術分野】
【０００１】
本発明は、コンセント本体が有する端子差込み穴を開閉するキャップを備えたコンセントに関する。
【背景技術】
【０００２】
従来より、例えば電源コードの先端部に設けられるコンセントにおいて、コンセント本体が有する端子差込み穴に水や埃などの異物が入ることを防止するため、その端子差込み穴を開閉するキャップを備えたものがある。従来では、そのキャップは、コンセント本体にねじなどの固定具を用いて取り付けられていた。
【発明の開示】
【発明が解決しようとする課題】
【０００３】
しかしながら、従来では、キャップの取付けにねじなどの固定具が必要であるため、その分部品点数が多く、また、取付け工数も多く掛かり、総じてコストが高くなるという欠点があった。
【０００４】
本発明は上記事情に鑑みてなされたものであり、その目的は、キャップを備えたものでありながら、部品点数を少なくできると共に、取付け工数も少なくでき、ひいてはコストを低減できるコンセントを提供するにある。
【課題を解決するための手段】
【０００５】
上記の目的を達成するために、請求項１の発明は、端子差込み穴を有するコンセント本体と、このコンセント本体に設けられた取付溝と、前記端子差込み穴を開閉するキャップと、このキャップに一体成形により設けられ、伸縮が可能で、前記取付溝に嵌合することにより前記コンセント本体に取り付けられる環状の取付部とを備えたことを特徴とする。
【０００６】
上記構成において、キャップは、これに一体成形された環状の取付部をコンセント本体に設けた取付溝に嵌合させることによってコンセント本体に取り付けられる。このとき、取付部は伸縮が可能であるから、取付溝に容易に嵌合させることができる。従って、キャップをコンセント本体に取り付けるについて、ねじなどの固定具を必要とせず、また、固定具を用いる場合に比べて取付け工数も少なくでき、ひいてはコストを低減できるようになる。
【発明を実施するための最良の形態】
【０００７】
以下、本発明の第１実施例について図１を参照して説明する。本発明のコンセント１は、電源コード２の先端部に設けられている。このコンセント１のコンセント本体３は合成樹脂製であり、３箇所に凸状のコンセント成形部４が一体に成形されている。各コンセント成形部４は断面がほぼ矩形状をなしていて、その端面に、図示しない差込みプラグの端子を差し込むことが可能な一対の端子差込み穴５ａ，５ｂ（図１に１箇所のみ示す）がそれぞれ形成されている。また、各コンセント成形部４の外周部には、取付溝６が環状に形成されている。
【０００８】
各コンセント成形部４には、端面の端子差込み穴５ａ，５ｂを開閉するキャップ７が取り付けられるようになっている。このキャップ７は合成樹脂、例えば塩化ビニル製であり、コンセント成形部４の端面に沿うようなほぼ矩形状をなしていて、その内面側に、上記端子差込み穴５ａ，５ｂに挿入することが可能な突部８ａ，８ｂが一体に設けられていると共に、周縁部に環状をなすリブ９が一体に設けられ、さらに、外周部の一辺部に手掛け片１０が一体に設けられている。また、キャップ７の外面側（突部８ａ，８ｂとは反対側の面）には、端子差込み穴５ａ，５ｂの形状に対応した凹部１１ａ、１１ｂが形成されている。そして、このキャップ７には、手掛け片１０とは反対側の一辺部に連結部１２を介して矩形環状の取付部１３が一体成形により設けられている。この場合、連結部１２及び取付部１３は、キャップ７と同じ塩化ビニル製であり、弾性及び伸縮性を有している。
【０００９】
ここで、各キャップ７は、取付部１３を、コンセント成形部４の取付溝６に嵌合させることによって、各コンセント成形部４に取り付けられる。このとき、取付部１３は、弾性及び伸縮性を有しているため、取付溝６に容易に嵌合させることができる。また、各キャップ７は、突部８ａ，８ｂを端子差込み穴５ａ，５ｂに挿入すると共に、環状のリブ９をコンセント成形部４の外周部に嵌合させることによりコンセント成形部４に着脱可能に装着される。その装着状態で、キャップ７は、コンセント成形部４の端面を覆うと共に、端子差込み穴５ａ，５ｂを閉鎖するから、その端子差込み穴５ａ，５ｂに異物などが入ることを防止できる。なお、キャップ７をコンセント成形部４の端面から外す場合には、手掛け片１０を持ってキャップ７をコンセント成形部４の端面から剥がすように引っ張ることで、コンセント成形部４の端面から外すことができる。
【００１０】
上記した実施例によれば、キャップ７は、これに一体成形された環状の取付部１３を、コンセント本体３におけるコンセント成形部４に設けた取付溝６に嵌合させることによってコンセント本体３に取り付けられる構成となっている。このため、キャップ７をコンセント本体３に取り付けるについて、ねじなどの固定具を必要とせず、その分部品点数を少なくでき、また、固定具を用いる場合に比べて取付け工数も少なくでき、ひいてはコストを低減できるようになる。
【００１１】
また、コンセント成形部４に設けた取付溝６に取付部１３を嵌合させる構成としているから、その取付部１３がコンセント本体３から殆ど出っ張らないようにでき、外観を良くできる利点もある。
【００１２】
図２は本発明の第２実施例を示したものであり、この第２実施例は上記した第１実施例とは次の点が異なっている。なお、第１実施例と同一の部分には同一の符号を付して異なる部分について説明する。
【００１３】
すなわち、コンセント本体３における各コンセント成形部１５の端面には、端子挿入穴５ａ，５ｂに加えて、アース端子用の端子差込み穴１６が形成されていて、各コンセント成形部１５の端面はその分大きな形状となっている。キャップ１７は、そのコンセント成形部１５の端面に沿った形状をなしていて、その内面側に、突部８ａ，８ｂに加えて、上記端子差込み穴１６に挿入することが可能な突部１８が設けられている。キャップ１７の外面側には、端子差込み穴５ａ，５ｂに対応する凹部１１ａ，１１ｂに加えて、端子差込み穴１６に対応する凹部１９が形成されている。
【００１４】
取付溝２０は、コンセント成形部１５の外周部に沿って形成され、キャップ１７の取付部２１は、その取付溝２０に対応した環状に形成されていて、環状の取付部２１を取付溝２０に嵌合させることにより、キャップ１７がコンセント本体３に取り付けられる構成となっている。
【００１５】
このような第２実施例においても、上記した第１実施例と同様な作用効果を得ることができる。
本発明は、上記した各実施例にのみ限定されるものではなく、次のように変形または拡張できる。コンセント１は、端子差込み穴５ａ，５ｂを３組有するものを例示したが、１組のみ有するものにも適用できる。また、壁などに設置されるコンセントにも適用することができる。
【００１６】
以上の説明から明らかなように、本発明によれば、キャップに一体成形した取付部を、コンセント本体に設けた取付溝に嵌合させることによって、キャップをコンセント本体に取り付ける構成としたので、キャップをコンセント本体に取り付けるについて、ねじなどの固定具を必要とせず、その分部品点数を少なくでき、また、固定具を用いる場合に比べて取付け工数も少なくでき、ひいてはコストを低減できるようになる。
【図面の簡単な説明】
【００１７】
【図１】本発明の第１実施例を示す斜視図
【図２】本発明の第２実施例を示す斜視図
【符号の説明】
【００１８】
図面中、１はコンセント、２は電源コード、３はコンセント本体、５ａ，５ｂは端子差込み穴、６は取付溝、７はキャップ、１３は取付部、１６は端子差込み穴、１７はキャップ、２０は取付溝、２１は取付部を示す。
【図１】
2007073537.tif 000003
【図２】
2007073537.tif 000004
【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
端子差込み穴を有するコンセント本体と、
前記端子差込み穴を開閉するキャップと、
このキャップに一体成形により設けられ、伸縮が可能で、前記コンセント本体に取り付けられる環状の取付部とを備えたことを特徴とするコンセント。
【手続補正２】
【補正対象書類名】明細書
【補正対象項目名】０００５
【補正方法】変更
【補正の内容】
【０００５】
上記の目的を達成するために、請求項１の発明は、端子差込み穴を有するコンセント本体と、前記端子差込み穴を開閉するキャップと、このキャップに一体成形により設けられ、伸縮が可能で、前記コンセント本体に取り付けられる環状の取付部とを備えたことを特徴とする。
【手続補正３】
【補正対象書類名】明細書
【補正対象項目名】０００６
【補正方法】変更
【補正の内容】
【０００６】
上記構成において、キャップは、これに一体成形された環状の取付部がコンセント本体に取り付けられる。このとき、取付部は伸縮が可能であるから、コンセント本体に容易に取り付けることができる。従って、キャップをコンセント本体に取り付けるについて、ねじなどの固定具を必要とせず、また、固定具を用いる場合に比べて取付け工数も少なくでき、ひいてはコストを低減できるようになる。
【手続補正４】
【補正対象書類名】明細書
【補正対象項目名】００１６
【補正方法】変更
【補正の内容】
【００１６】
以上の説明から明らかなように、本発明によれば、キャップに一体成形した取付部をコンセント本体に取り付ける構成としたので、キャップをコンセント本体に取り付けるについて、ねじなどの固定具を必要とせず、その分部品点数を少なくでき、また、固定具を用いる場合に比べて取付け工数も少なくでき、ひいてはコストを低減できるようになる。